(57)【要約】【課題】  拡大画像の表示時間をより短縮することができる画像表示システムを提供する。【解決手段】  Ｗｅｂサーバー２からダウンロードした画像データに基づき端末装置４のモニタ画面４７に画像を表示する画像表示システム１であって、被拡大画像を拡大するための拡大用画像セグメントのうち、被拡大画像上に特徴部として予め定められた画像領域を含む特徴部画像セグメントのダウンロードを、ユーザー操作に基づく拡大領域の設定に先立って、残余の画像セグメントよりも優先的に開始する。【選択図】  図１
2008257555.tif 000002
【特許請求の範囲】
【請求項１】
画像サーバーからダウンロードした画像データに基づき端末装置のモニタ画面に画像を表示する画像表示システムにおいて、
前記画像サーバーに設けられ、前記画像を前記モニタ画面上に表示するための画像データであって、１又は複数の画像セグメントからなる第一解像度画像データと、その第一解像度画像データの画像セグメントを各々複数個に分割する画像セグメント群の集合からなる、前記第一解像度画像データよりも高解像度の第二解像度画像データとを含む画像データを記憶する画像データ記憶部と、
前記端末装置に設けられ、前記第一解像度画像データに基づく被拡大画像を表示する被拡大画像表示手段と、
前記端末装置に設けられ、前記被拡大画像上に拡大領域を移動可能に設定する拡大領域設定手段と、
前記端末装置に設けられ、前記第二解像度画像データのうち、設定確定された拡大領域に属する画像セグメントを用いて、前記被拡大画像を前記拡大領域に拡大表示する拡大画像表示手段と、
前記端末装置に設けられ、前記第二解像度画像データを構成する画像セグメントのうち、前記被拡大画像上に特徴部として予め定められた画像領域を含む特徴部画像セグメントのダウンロードを、前記拡大画像表示手段による前記拡大領域の設定確定に先立って残余の画像セグメントよりも優先的に開始する画像セグメントダウンロード手段と、
を備えることを特徴とする画像表示システム。
【請求項２】
前記画像データは、解像度が高くなるほど前記画像セグメントによる分割数が多くなるように構成された３以上の解像度階層を有したものとして構成されるとともに、最も解像度の高い階層を除く任意の階層の画像データが前記被拡大画像をなす前記第一解像度画像データとして使用可能とされ、当該第一解像度データよりも解像度の高い別の階層の画像データが前記第二解像度データとして使用される請求項１記載の画像表示システム。
【請求項３】
前記拡大画像表示手段は、前記第一解像度データに隣接する高解像度階層の画像データを前記第二解像度画像データとして使用し、前記拡大領域を下位の解像度階層側から順次適用することにより画像を段階的に拡大しながら表示する請求項２記載の画像表示システム。
【請求項４】
前記画像セグメントダウンロード手段は、前記第一解像度データとして使用される解像度階層よりも高解像度となる複数の階層から、各々前記特徴部画像セグメントとして対応付けられる画像セグメント群を、該複数の階層にまたがって抽出し、これを残余の画像セグメントよりも優先的にダウンロードするものである請求項３記載の画像表示システム。
【請求項５】
前記画像セグメントダウンロード手段は、前記特徴部の画像領域が複数の画像セグメントにまたがって含まれる場合に、それら画像セグメントのダウンロードを残余のセグメントよりも優先的に開始する請求項１ないし請求項４のいずれか１項に記載の画像表示システム。
【請求項６】
前記第二解像度画像データを構成する画像セグメントの一部をなす特定のものが、前記特徴部画像セグメントとして固定的に定められてなる請求項１ないし請求項５のいずれか１項に記載の画像表示システム。
【請求項７】
前記画像セグメントダウンロード手段は、前記拡大領域の設定とは無関係に、該特徴部画像セグメントの周囲に配置された画像セグメントのダウンロードを、前記特徴部画像セグメントのダウンロードに続く形で継続する請求項６記載の画像表示システム。
【請求項８】
前記第一解像度画像データに基づく画像はカタログ商品が表示されたカタログ画像であり、前記画像セグメントダウンロード手段は、該カタログ画像の商品表示部分を前記特徴部の画像領域として定めて、該画像領域を含む前記特徴部画像セグメントのダウンロードを優先的に開始するものである請求項６又は請求項７に記載の画像表示システム。
【請求項９】
前記第一解像度画像データに基づく画像は地図画像であり、前記画像セグメントダウンロード手段は、該地図画像における市街地領域を前記特徴部の画像領域として定めて、該画像領域を含む前記特徴部画像セグメントのダウンロードを優先的に開始するものである請求項６又は請求項７に記載の画像表示システム。
【請求項１０】
前記端末装置から前記画像サーバーに対する、前記拡大表示のための閲覧要求頻度を前記第二解像度画像データの前記画像セグメント毎に集計する閲覧要求頻度集計手段を有し、
前記画像セグメントダウンロード手段は、該閲覧要求頻度の集計序列において一定以上高位に位置する画像セグメントを、該集計結果の変動に応じて更新しつつ前記特徴部画像セグメントとして優先的にダウンロード開始する請求項１ないし請求項５のいずれか１項に記載の画像表示システム。
【請求項１１】
前記画像セグメントダウンロード手段は、前記閲覧要求頻度の集計序列において上位に位置する画像セグメントから順にダウンロードする請求項１０記載の画像表示システム。
【請求項１２】
前記閲覧要求頻度集計手段は、前記拡大表示のための閲覧要求頻度として、前記画像セグメント毎に、確定されたダウンロード実績を集計するものである請求項１０又は請求項１１のいずれか１項に記載の画像表示システム。
【請求項１３】
前記閲覧要求頻度集計手段は、前記拡大表示のための閲覧要求頻度として、前記画像セグメント毎に、前記端末装置のポインティングデバイスによって操作される、前記モニタ画面上のポインタによる拡大位置の選択結果を集計するものである請求項１０又は請求項１１のいずれか１項に記載の画像表示システム。
【発明の詳細な説明】
【技術分野】
【０００１】
本発明は、画像表示システム、特に、端末装置においてインターネット等の通信ネットワークを介して画像サーバーからダウンロードした画像を表示する画像表示システムに関する。
【背景技術】
【０００２】
【特許文献１】特許第３８１１９１４号公報
【０００３】
パーソナルコンピュータにおける主演算装置（ＣＰＵ）の処理の高速化や記憶装置（ＨＤＤ）大容量化がめざましく、動画像や音楽データ、多機能アプリケーションソフトあるいは高解像度静止画画像等の大容量のデータが扱われるケースが急増している。また、インターネット等の通信ネットワークのインフラストラクチャ整備及び高速化も進み、大容量のデータを、通信ネットワークを介してオンライン配信するサービス等も普及しつつある。
【０００４】
ところで、こうしたパーソナルコンピュータを用いて構成される近年の画像表示システムにおいては、例えば電子カタログや電子地図のように、標準倍率画像の表示に加え、よりデータ量の大きい拡大画像データを用いて、拡大表示機能を実現するものがある。従来、こうした画像表示システムにおいて多く使用されている画像拡大機能は、例えば、サムネイル画像と拡大画像とを分離しておき、デフォルトで表示されているサムネイル画像をクリックすると、その拡大画像を画面切り替えにより全体表示するものが、例えば電子カタログや電子地図等で広く採用されている。また、電子地図等の場合は、地図上にて拡大したい地点を、ポインタにより指定してマウスクリックすると、その地点の周辺が画面切り替えにより拡大表示される、という方式が一般化している。この方式の場合、標準倍率画像を予めいくつかに区画分割しておき、ポインタにより指定された区画に対応する拡大画像を選択的に読み出して表示するものがある。
【０００５】
また、特許文献１には、ユーザーが所望の拡大画像をより早く閲覧できるようにする技術の開示がある。即ち、特許文献１では、まず、基となる画像データ（ディジタル原本イメージ文書）からその縮小画像データ（縮小イメージ文書）を生成するとともにこれを分割して分割縮小画像データ（断片イメージ文書）を生成する。そして、端末装置側からの表示要求（イメージ表示要求）に応じて、その最も低いレベルの縮小画像データを初期表示画像として表示する。その上で、端末装置側で拡大表示を望む場合には、その初期表示画像から拡大領域を指定する形で拡大画像データ（拡大イメージ）の受信要求をサーバーに送信して、必要となる領域の分割縮小画像データのみを受信し、これを用いて指定した拡大領域を表示する。つまり、サーバーは、端末装置が必要となる分割縮小画像データのみを送信するだけでよく、端末装置も、拡大したい領域のみのデータを受け取って表示するだけであるから、伝送されるデータ量を減じつつ双方の処理負担を軽減して、拡大画像の素早い表示を実現している。
【発明の開示】
【発明が解決しようとする課題】
【０００６】
ところで、近年の画像表示システムにおいては、既に述べたように端末装置及びサーバーの双方において処理速度の一層の高速化や記憶装置の大容量化が進んでおり、これらを活用することでデータ容量の比較的多いデータの処理にそれほど大きな負担がかからなくなってきている。他方、通信技術に関しても、光通信等のような高速通信技術の普及が著しい。しかしながら、そうした状況においても、要求した拡大画像をより早く閲覧したいというユーザーの要望が依然としてある。これは、拡大画像データをサーバーに要求してからこれを受信して表示するまでにかかる時間が、従来と比較すれば短時間となったとはいえ画像データの通信取得には一定以上は必要であるからであり、上記特許文献１においてもこの状況が変わることはない。特に、近年急増する電子カタログや電子地図を提供するＷｅｂサイトにおいて、画像の拡大表示に他のＷｅｂサイトよりも時間がかかることは、ユーザーの閲覧意欲を損ねる要因となり、ユーザー離れに直結する。
【０００７】
本発明の課題は、拡大画像の表示時間をより短縮することができる画像表示システムを提供することにある。
【課題を解決するための手段及び発明の効果】
【０００８】
上記課題を解決するために、本発明の画像表示システムは、
画像サーバーからダウンロードした画像データに基づき端末装置のモニタ画面に画像を表示する画像表示システムにおいて、
画像サーバーに設けられ、画像をモニタ画面上に表示するための画像データであって、１又は複数の画像セグメントからなる第一解像度画像データと、その第一解像度画像データの画像セグメントを各々複数個に分割する画像セグメント群の集合からなる、第一解像度画像データよりも高解像度の第二解像度画像データとを含む画像データを記憶する画像データ記憶部と、
端末装置に設けられ、第一解像度画像データに基づく被拡大画像を表示する被拡大画像表示手段と、
端末装置に設けられ、被拡大画像上に拡大領域を移動可能に設定する拡大領域設定手段と、
端末装置に設けられ、第二解像度画像データのうち、設定確定された拡大領域に属する画像セグメントを用いて、被拡大画像を拡大領域に拡大表示する拡大画像表示手段と、
端末装置に設けられ、第二解像度画像データを構成する画像セグメントのうち、被拡大画像上に特徴部として予め定められた画像領域を含む特徴部画像セグメントのダウンロードを、拡大画像表示手段による拡大領域の設定確定に先立って残余の画像セグメントよりも優先的に開始する画像セグメントダウンロード手段と、
を備えることを特徴とする。
【０００９】
なお、上記本発明は、あくまで被拡大画像とその拡大画像との間での拡大表示に関してのみ記載されている。つまり、上記本発明は、被拡大画像の画像データを第一解像度画像データ、被拡大画像を拡大表示した画像の画像データを第二解像度画像データ（画像セグメント）と定めており、ここから更に高解像度の画像データによる拡大表示を行なう場合は、先ほどの第二解像度画像データによる拡大画像が被拡大画像となるので、先ほどの第二解像度画像データが今回の拡大表示における第一解像度画像データとなる。そして、今回の更なる拡大表示により表示される画像の画像データが第二解像度画像データとなる。従って、本発明は、単に一段階の拡大に限定されるものではなく、複数段階の拡大を当然包含するものである。
【００１０】
通常、被拡大画像を拡大する際の拡大領域の設定は、ユーザーによる拡大要求操作に基づいて実行される。ところが、こうした拡大要求操作は、ユーザーが被拡大画像を閲覧する中で、拡大が必要であると感じ、拡大対象となる領域を決定した上で行なわれるから、被拡大画像が表示されて実際に拡大要求操作がなされるまでには多少なりとも時間を要するものである。上記本発明の構成によれば、高解像度を有する拡大表示用の画像セグメントのダウンロードが、ユーザーによる拡大要求操作とは無関係に、かつ拡大要求操作に先立って開始される構成となっているため、被拡大画像の表示から拡大要求操作がなされるまでの間の時間に、端末装置側では拡大表示用の画像セグメントのダウンロードが既に開始されている。そして、ユーザーによる拡大要求操作が完了したときには、既に拡大表示用の画像セグメントのダウンロードがほぼ完了した状況を作り出すことができる。これにより、実行された拡大要求操作に対応する拡大画像の表示をより素早く行なうことが可能となる。
【００１１】
さらに、上記本発明の構成によると、拡大表示用の画像セグメントのダウンロードは、被拡大画像上に特徴部として定められた画像領域を優先して開始される構成となっている。つまり、ユーザーにより拡大される可能性の高い特徴部の画像セグメントほど先にダウンロードされるようになっている。これにより、ユーザーがその特徴部を拡大する拡大要求操作を行った際には、少なくとも特徴部に係る画像セグメントのダウンロードだけは完了している状況を作り出すことができるので、要求された拡大画像を素早く表示することができる。
【００１２】
画像データは、解像度が高くなるほど画像セグメントによる分割数が多くなるように構成された３以上の解像度階層を有したものとして構成することができる。このとき、最も解像度の高い階層を除く任意の階層の画像データが被拡大画像をなす第一解像度画像データとして使用可能にして、当該第一解像度データよりも解像度の高い別の階層の画像データが第二解像度データとして使用されるようにできる。この構成によると、３以上の解像度階層を有する画像データであっても、拡大用画像セグメントの、上記のような効率的な画像セグメントのダウンロード、ひいては拡大表示を実行可能となる。
【００１３】
また、拡大画像表示手段は、第一解像度データに隣接する高解像度階層の画像データを第二解像度画像データとして使用し、拡大領域を下位の解像度階層側から順次適用することにより画像を段階的に拡大しながら表示するように構成できる。これにより、順次解像度を上げていく形での拡大表示が可能となる。
【００１４】
また、画像セグメントダウンロード手段は、第一解像度データとして使用される解像度階層よりも高解像度となる複数の階層から、各々特徴部画像セグメントとして対応付けられる画像セグメント群を、該複数の階層にまたがって抽出し、これを残余の画像セグメントよりも優先的にダウンロードするものとできる。複数段階の階層にまたがって拡大を行なう場合、拡大され易い特徴部画像セグメントは、必ずしも被拡大画像の次に高い解像度を有する階層の画像セグメントにのみ定められるとは限らず、さらに高い解像度を有する階層の画像セグメントに定められていてもよい。この構成によると、ダウンロードの優先度が階層とは無関係に定められるので、複数の解像度階層を有する画像データにおいても、より効率的な画像セグメントのダウンロード、ひいては拡大表示を実行可能となる。
【００１５】
なお、画像セグメントダウンロード手段は、同一階層において、特徴部の画像領域が複数の画像セグメントにまたがって含まれる場合に、それら画像セグメントのダウンロードを残余のセグメントよりも優先的に開始するように構成できる。この構成によると、ユーザーにより拡大され易い特徴部を含む画像セグメントのダウンロードをいち早く完了することができる。これにより、ユーザーがその特徴部を拡大する拡大要求操作を行った際には、少なくとも特徴部を表示するための画像セグメントのダウンロードだけは完了している状況を作り出すことができるので、要求された拡大画像を素早く表示することができる。
【００１６】
また、第二解像度画像データを構成する画像セグメントの一部をなす特定のものを、特徴部画像セグメントとして固定的に定めるようにすることができる。例えば、被拡大画像の特徴部が明確である場合は、優先して先にダウンロードされる特徴部画像セグメントを予め固定設定しておくことで、ダウンロード処理を単純化することができる。
【００１７】
この場合、画像セグメントダウンロード手段が、拡大領域の設定とは無関係に、該特徴部画像セグメントの周囲に配置された画像セグメントのダウンロードを、特徴部画像セグメントのダウンロードに続く形で継続するように構成できる。被拡大画像の特徴部から離れるほど拡大要求操作により拡大される可能性は低く、逆に、被拡大画像の特徴部に近い特徴部周辺領域ほど拡大要求操作により拡大される可能性が高い。上記構成によると、ダウンロードされる可能性が高い順で画像セグメントのダウンロードがなされるので、拡大され易い画像ほど素早く表示することができる。
【００１８】
また、第一解像度画像データに基づく画像を、カタログ商品が表示されたカタログ画像とすることができる。そして、画像セグメントダウンロード手段は、該カタログ画像の商品表示部分を特徴部の画像領域として定めて、該画像領域を含む特徴部画像セグメントのダウンロードを優先的に開始するものとして構成できる。カタログ画像の場合、最も拡大要求され易い領域は商品の表示領域であるから、この部分を特徴部として優先的にダウンロードすることにより、適切な優先順位に従いダウンロードを実行して、拡大され易い画像ほどより素早く表示することができる。
【００１９】
また、第一解像度画像データに基づく画像を地図画像とすることもできる。この場合の画像セグメントダウンロード手段は、該地図画像における市街地領域を特徴部の画像領域として定めて、該画像領域を含む特徴部画像セグメントのダウンロードを優先的に開始するものとして構成できる。地図画像の場合、最も拡大要求され易い領域は市街地の表示領域であるから、この部分を特徴部として優先的にダウンロードすることにより、適切な優先順位に従いダウンロードを実行して、拡大され易い画像ほどより素早く表示することができる。
【００２０】
本発明の画像表示システムに、端末装置から画像サーバーに対する、拡大表示のための閲覧要求頻度を第二解像度画像データの画像セグメント毎に集計する閲覧要求頻度集計手段を設けることができる。そして、このとき、画像セグメントダウンロード手段は、該閲覧要求頻度の集計序列において一定以上高位に位置する画像セグメントを、該集計結果の変動に応じて更新しつつ特徴部画像セグメントとして優先的にダウンロード開始するものとして構成できる。この構成によると、ユーザーが拡大表示し易い部分を実際に集計し、その集計結果に基づいて、優先的にダウンロードすべき画像セグメントを設定することができる。これにより、実際に拡大され易い画像ほどより素早く表示できるようになる。
【００２１】
また、この場合の画像セグメントダウンロード手段は、閲覧要求頻度の集計序列において上位に位置する画像セグメントから順にダウンロードするように構成できる。この構成によると、実際にユーザーが拡大表示し易い画像セグメントから順にダウンロードされるように、画像セグメントのダウンロード優先順位を定めることができるので、実際に拡大され易い画像ほどより素早く表示することができる。
【００２２】
閲覧要求頻度集計手段は、拡大表示のための閲覧要求頻度として、第二解像度画像データを構成する画像セグメント毎に、確定されたダウンロード実績を集計するものとして構成できる。この構成によると、実際にダウンロードが実行された各画像セグメントのダウンロード実績に基づいて、優先的にダウンロードされるべき画像セグメントを決定することが可能となる。これにより、画像セグメントのダウンロード優先順位をより適切に定めることが可能となる。
【００２３】
閲覧要求頻度集計手段は、拡大表示のための閲覧要求頻度として、第二解像度画像データを構成する画像セグメント毎に、端末装置のポインティングデバイスによって操作される、モニタ画面上のポインタによる拡大位置の選択結果を集計するものである。モニタ画面上にて移動操作されるポインタはユーザーの視点位置であることが多いので、このポインタが位置し易い（選択し易い）画像領域は、ユーザーの注目度の高い部分であると言える。そして、注目度が高い部分が必然的にダウンロードもされ易くなる。従って、上記構成によると、ユーザーの注目度の高さに基づいて、優先的にダウンロードされるべき画像セグメントを決定することが可能となる。これにより、画像セグメントのダウンロード優先順位をより適切に定めることが可能となる。
【発明を実施するための最良の形態】
【００２４】
以下、本発明の実施の形態を図面に示す実施例を参照して説明する。
図１は、本発明の画像表示システム１の全体構成を示すブロック図である。画像表示システム１は、Ｗｅｂサーバー（画像サーバー）２と、該Ｗｅｂサーバー（画像サーバー）２が接続するインターネット等の通信ネットワーク３と、及びユーザーのパーソナルコンピュータ等にて構成される端末装置４とを含んで構成されており、インターネットやイントラネット、パソコン通信網、公衆電話回線網、ＬＡＮ等からなる通信ネットワーク３（本実施形態ではインターネットである）を介して、端末装置４がＷｅｂサーバー２から画像データをダウンロードして、その画像データに基づく画像を自身の表示部４７（図２参照）に表示するものである。
【００２５】
端末装置４について説明する。端末装置４は、図２に示すように、ＣＰＵ４１、ＲＯＭ４３、ＲＡＭ４２、ハードディスクドライブ（ＨＤＤ）等で構成された記憶装置４５、ネットワーク接続のための変復調部（モデム、ルータ、ＬＡＮボード等）４９、キーボード、マウスその他のポインティングデバイスからなる入力部４８、液晶ディスプレイ等の表示部４７、プリンタ４６等が、Ｉ／Ｏポート４４に接続する形で構成されている。
【００２６】
ＲＡＭ４２内には、ＣＰＵ４１が実行する種々のプログラム実行時に使用する種々のデータメモリ（キャッシュメモリを含む）のエリアが形成されている。例えば、端末装置４のオペレーティングシステムソフトウェア（ＯＳ：本実施形態ではWindows（米国Microsoft社の登録商標名；Windows98、 Windows2000等、種々のバージョンが存在する）を使用している）を実行するためのワークメモリである実行メモリ（ＯＳ実行メモリ）や、インターネット２のホームページを閲覧するための、公知のＷｅｂブラウザソフト（例えば、Internet Explorer（Microsoft社の登録商標名）あるいはNetscape Navigator（米国NetscapeCommunications社の登録商標名））の実行メモリが形成されている。該Ｗｅｂブラウザソフトの実行メモリ内には、Ｗｅｂサイト特定データ（例えばＵＲＬアドレス）のメモリ、Ｗｅｂサーバー２が提供するホームページに接続するための送受信制御モジュール、Ｗｅｂページ（ホームページ）を記述するＨＴＭＬ文書を解読するためのＨＴＭＬ解読モジュール等、各プログラムの実行エリアが形成され、さらに、受信したＷｅｂページのデータを格納するＷｅｂページ受信メモリ、同じく、表示すべきＷｅｂページのデータを格納するＷｅｂページ表示メモリ、リンクボタンのクリックにより、リンク先のページにジャンプする制御を行なうためのリンク制御モジュール（ＨＴＭＬの体系に組み込まれているものである）の実行エリア等が形成されている。
【００２７】
本実施形態におけるＲＡＭ４２内には、上述したＷｅｂページ表示メモリに相当する領域として、Ｗｅｂページ（ホームページ）上の画像を表示する、さらには拡大表示するために使用される記憶領域を備える。具体的に言えば、その記憶領域として、図３に示すように、表示データ記憶領域４２ａと画像データ記憶領域４２ｂとが設けられている。後者の画像データ記憶領域４２ｂは、Ｗｅｂサーバー２から初期表示用及び拡大表示用にダウンロードした画像データ（後述する初期表示用画像データ及び拡大表示用画像データ）を格納する領域である。この画像データ記憶領域４２ｂには、初期表示用の低解像度の初期表示用画像データ（第一解像度画像データ）を記憶する記憶領域４２１ｂと、その初期表示用画像データよりも高解像度を有した複数の画像セグメント（拡大用画像セグメント）の集合よりなる拡大表示用画像データ（第二解像度画像データ）を記憶する拡大表示用画像データ記憶領域４２２ｂとが設けられている。他方、前者の表示データ記憶領域４２ａは、画像データ記憶領域４２ｂに格納された画像データの中から表示部（モニタ画面）４７に表示すべき画像データを格納する領域である。
【００２８】
記憶装置４５には、ＣＰＵ４１が実行する種々のプログラムとともに、図２に示すように、低解像度の初期表示用画像データに基づく初期画像を表示するとともに、その初期画像を被拡大画像として、該被拡大画像上に拡大領域を設定し、設定された拡大領域に属する画像セグメントを用いて被拡大画像を拡大領域に拡大表示する画像表示プログラム４５ａが格納されている。本実施形態においては、Ｗｅｂページを表示する際に当該画像表示プログラム４５ａが実行されて、Ｗｅｂページの初期表示においては、初期表示用画像データに基づく画像が表示される一方で、表示後には、表示された画像（初期画像）を被拡大画像として、その一部領域を拡大表示用画像データ（画像セグメント）を用いて拡大表示することが可能となっている。なお、この画像表示プログラム４５ａがＣＰＵ４１により実行されることにより、本発明の被拡大画像表示手段、拡大領域設定手段、拡大画像表示手段、画像セグメントダウンロード手段として機能する。
【００２９】
次に、Ｗｅｂサーバー２について説明する。Ｗｅｂサーバー２は、図４に示すように、ＣＰＵ２１、ＲＯＭ２３、ＲＡＭ２２、ハードディスクドライブ（ＨＤＤ）等の記憶装置２５、ネットワーク接続のための変復調部（モデム、ルータ、ＬＡＮボード等）２９、キーボード、マウスその他のポインティングデバイスからなる入力部２８、液晶ディスプレイ等の表示部２７、プリンタ２６等が、Ｉ／Ｏポート２４に接続する形で構成されている。ＲＡＭ２２には、Ｗｅｂサーバー２側のＯＳ実行メモリ、ＷｅｂページをアップロードするためのＷｅｂページ配信プログラムの実行メモリが形成されている。
【００３０】
記憶装置２５には、ＣＰＵ２１が実行する種々のプログラムとともに、図５に示すように、端末装置４側からの要求に基づいて、Ｗｅｂファイルとともに画像データを該端末装置４に送信するダウンロードデータ送信プログラム２５ａと、拡大表示のための閲覧要求頻度を拡大表示用画像データの画像セグメント毎に集計する閲覧要求頻度集計プログラム２５ｂとが格納されている。
【００３１】
また、記憶装置２５には、図５に示すように、インターネット上にアップロードするＷｅｂページのファイルデータ２５０が格納されている。また、Ｗｅｂページに貼り付けられる画像データが、アドレスを付与して、画像データベース２５１内に格納・管理されている。
【００３２】
画像データベース（画像データ記憶部）２５１は、端末装置４のモニタ画面４７上に表示されるＷｅｂページの画像を表示するための画像データを格納している。本実施形態における画像データベース２５１には、図５に示すように、カタログ商品等の画像をなす表示画像Ａ，Ｂ・・・を表示するための低解像度の初期表示用画像データ（第一解像度画像データ）Ａ０，Ｂ０・・・と、それら初期表示用画像データＡ０，Ｂ０・・・に対応し、かつ各初期表示用画像データＡ０，Ｂ０・・・よりも高解像度を有した複数の画像セグメント（拡大用画像セグメント）の集合よりなる拡大表示用画像データ（第二解像度画像データ）Ａ１，Ｂ１・・・と、さらにこれら表示画像Ａ，Ｂ・・・に対応する統計情報ＡＸ，ＢＸ・・・とが格納されている。
【００３３】
拡大表示用画像データＡ１，Ｂ１・・・は、図６（ａ）に示すように、１枚の表示画像Ａ，Ｂを分割した複数枚の基本画像セグメントＡ１１〜Ａｎｍ（本実施形態においてはｎ＝５，ｍ＝５）からなり、図６（ｂ）に示すように、各々がピクセルデータの集合にて画像を記述した高解像度の画像データである。本実施形態においては、それら画像セグメントＡ１１〜Ａｎｍは全て同じ形状で同じ大きさを有するように、表示画像Ａ，Ｂから分割されている。他方、初期表示用画像データＡ０，Ｂ０・・・は、図６（ａ）に示すように、対応する拡大表示用画像データＡ１，Ｂ１・・・からピクセルを減じた、より低解像度の画像データである。つまり、初期表示用画像データＡ０，Ｂ０・・・は、表示画像Ａ，Ｂを表示する非分割の単一画像データであって、拡大表示用画像データＡ１，Ｂ１・・・の全画像セグメントの集合として表示される表示画像Ａ，Ｂよりも解像度の低い画像データである。本実施形態においては、拡大表示用画像データからピクセルを減じる（例えば一定比率にて減じる）ことで生成された、該拡大表示用画像データよりも低解像度の初期表示用画像データが随伴しており、全体として階層構造画像データが構築されている。
【００３４】
統計情報ＡＸ，ＢＸ・・・は、記憶装置２５に記憶されている閲覧要求頻度集計プログラム（閲覧要求頻度集計手段）２５ｄの実行結果情報である。閲覧要求頻度集計プログラム２５ｄは、拡大表示のための閲覧要求頻度を拡大表示用画像データの画像セグメント毎に集計するものであり、本実施形態では、図７に示すように、拡大表示用画像データの画像セグメント毎に、確定されたダウンロード実績を閲覧要求頻度として集計している。具体的に言えば、初期表示用画像データに基づいて表示される初期画像を被拡大画像とし、その被拡大画像上に拡大領域を、端末装置４の入力部４８をなすポインティングデバイスへの入力操作により設定し、設定された拡大領域に属する画像セグメントの拡大設定数をカウントアップする形で集計している。その集計結果である統計情報ＡＸ，ＢＸ・・・は、拡大表示用画像データの各画像セグメントに対応付けた形で記憶装置２５に記憶されている。
【００３５】
ところで、本実施形態の画像表示システム１では、端末装置４において画像表示プログラム４５ａが実行されることで、該端末装置４は、Ｗｅｂサーバー２から画像データをダウンロードし、その画像データに基づいてモニタ画面４７に初期画像を表示することができるとともに、その初期画像を被拡大画像とし、該被拡大画像上の一部領域を拡大表示することができる。図８は、端末装置４にて実行される画像表示プログラム４５ａの処理の流れを示すフローチャートである。以下、この画像表示プログラム４５ａについて、図８を用いて説明する。
【００３６】
まず、Ｓ１にて、端末装置４においてＷｅｂブラウザを起動してインターネットに接続する。続いて、Ｓ２にて、指定されたアドレスにより、Ｗｅｂサーバ−２が提供するＷｅｂページにアクセスする。他方、Ｗｅｂサーバ−２では、ダウンロードデータ送信プログラム２５ａが実行されており、自身が格納するＷｅｂページへのアクセスがあると（Ｓ１０１）、アクセスした端末装置４に当該Ｗｅｂページに対応するＷｅｂファイルを送信する（Ｓ１０２）。
【００３７】
ここで送信されるＷｅｂファイルはＨＴＭＬファイルであり、テキストフレームを記述するためのテキストデータ、表示制御コードデータ（フォント、大きさ等の書式制御を行なうためのもの）、及びテキストの貼込位置データ、ダウンロードする画像データの所在場所（ここでは、Ｗｅｂサーバ−２の記憶装置４８内にある画像データベースである）を示す画像データアドレス、表示する画像のサイズ、画像の貼込位置を示すデータ等が含まれる。また、画像中にリンクボタンを形成する場合は、そのリンク先のアドレスも記述される。さらに、Ｓ１０２では、このＨＴＭＬファイルとともに、Ｗｅｂページに貼り込む画像データとして、上述した低解像度を有する初期表示用画像データの送信が行なわれる。
【００３８】
Ｓ３では、これらのＷｅｂファイル及び初期表示用画像データを受信する。受信した初期表示用画像データは、ＲＡＭ４２の初期表示用画像データ記憶領域４２１ｂに書き込まれる。受信が完了すると、Ｓ５にて、受信した各種データに基づく画像を端末装置４の表示部４７に表示する。この画像表示は、初期表示用画像データは表示メモリ記憶領域４２ａに書き込み、これを用いる形でなされる。
【００３９】
さらに、Ｓ５における画像表示と並列的に、Ｓ４にて、拡大表示用画像データの受信が開始される。即ち、Ｗｅｂサーバー２では、Ｓ１０２におけるＷｅｂファイル及び初期表示用画像データの送信が完了すると、Ｓ１０３にて、拡大表示用画像データをなす画像セグメントの送信順序を決定し、Ｓ１０４にて、決定された送信順序に従い画像セグメントのダウンロードを開始する。受信した拡大表示用画像データをなす各画像セグメントは、拡大表示用画像データ記憶領域４２２ｂに書き込まれる。なお、画像セグメントのダウンロードは、全ての画像セグメントがダウンロード完了するまで、以降のステップにおける処理と並列的に継続して実行される。なお、ダウンロードは画像セグメント単位で行なわれ、それら全てがダウンロードされる形となっている。また、端末装置４側での処理負担軽減の観点から、Ｓ５における画像表示完了後にＳ１０４における画像セグメントのダウンロードが実行される構成であってもよい。
【００４０】
拡大表示用画像データをなす画像セグメントの送信順序は、拡大表示用画像データを構成する画像セグメントのうち、初期表示用画像データに基づく画像上に特徴部として予め定められた画像領域を含む特徴部画像セグメントのダウンロードが、端末装置４の入力部４８による拡大領域の設定に先立って残余の画像セグメントよりも優先的に開始されるように定められる。本実施形態においては、閲覧要求頻度集計プログラム２５ｂにより集計される閲覧要求頻度の集計序列において一定以上高位に位置する画像セグメントを、該集計結果の変動に応じて更新しつつ特徴部画像セグメントとして優先的にダウンロード開始するように、当該集計序列において上位に位置する画像セグメントから順にダウンロードするように定められている。本実施形態における閲覧要求頻度は、図７に示すように、拡大表示用画像データの画像セグメント毎に、確定されたダウンロード実績（拡大設定数）を閲覧要求頻度として集計しているので、より多く表示された画像セグメントほど、優先的にダウンロードされるようにダウンロード優先順位が定められる。つまり、図７における拡大設定数が多い画像セグメントＡ１１〜Ａｎｍから順にダウンロード優先順位が定められる。そして、Ｓ１０４では、Ｓ１０３にて定められたダウンロード優先順位に従い拡大表示用画像データの送信を開始する。拡大表示用画像データの送信が完了すると、Ｗｅｂサーバー２側のダウンロードデータ送信プログラム２５ａは、処理を終了する。
【００４１】
Ｓ５にて、初期表示用画像データに基づく画像が表示されると、Ｓ６では、Ｗｅｂページの表示終了の有無が判定される。終了の場合は、この画像表示プログラム４５ａを終了する。終了しない場合はＳ７に進み、ユーザーによる拡大要求操作の有無を判定する。初期表示用画像データに基づく初期画像を拡大するためのユーザーによる拡大要求操作は、本実施形態においては、図９に示すように、その初期画像を被拡大画像とし、端末装置４の入力部４８（本実施形態においてはマウス）への入力操作によりその被拡大画像上に拡大領域Ｚ（図９のＺ１やＺ２）を設定確定する形で行なわれる。
【００４２】
なお、拡大領域Ｚの設定確定（拡大要求操作）は、入力部４８をなすポインティングデバイスを用いて被拡大画像上に拡大領域を移動可能に設定した上で、所定の拡大領域設定確定操作を行なうことでなされる。即ち、ポインティングデバイス４８の操作（例えばドラッグ操作）により、表示部４７の画面上に表示される拡大表示ウィンドウないしポインタ（指示図形）を移動して、それら拡大表示ウィンドウないしポインタ（指示図形）を拡大したい領域に位置させ、そのポインティングデバイスに設けられた確定操作部（例えばマウス上部のボタン）への確定入力操作（例えばマウスクリック）により、拡大領域Ｚの設定が確定される。これにより、該拡大表示ウィンドウに囲まれた領域ないしポインタの指示位置を中心とする予め定められた領域が拡大領域Ｚとして設定される。なお、本実施形態における拡大領域Ｚは、被拡大画像上にて、その拡大表示用画像データをなす画像セグメントと同じ形状で同じ大きさの枠内を拡大するように定められている。これにより、画像の拡大表示に用いる画像セグメント数を制限することができる（図６のような分割形態を有する場合は最大で４つ）ので、任意に拡大領域Ｚを設定できる場合に比べて拡大表示処理を簡略化できる。なお、確定操作部は、例えばキーボードのリターンキー等、他の入力部４８であってもよい。
【００４３】
ここで、拡大領域Ｚの設定とは、画面上で拡大領域Ｚが選択されている状態となることであり、拡大表示を行なうか否かが未確定の状態である。一方で、拡大領域Ｚの設定確定とは、端末装置４が、拡大表示用データによる拡大表示実行のトリガー入力を受けたことを意味する。本実施形態においては、上記したように、確定入力操作（例えばマウスクリック）により、拡大領域Ｚの設定確定がなされる。
【００４４】
Ｓ７にて、拡大要求操作がなされていないと判定された場合にはＳ６に戻る。拡大要求操作がされていた場合にはＳ８に進み、設定された拡大領域Ｚを特定してＳ９に進む。
【００４５】
Ｓ９では、拡大表示用画像データのうち、設定確定された拡大領域Ｚに属する画像セグメントを用いて、被拡大画像を拡大領域に拡大表示する。即ち、特定された拡大領域Ｚを、Ｓ４にて、拡大表示用画像データ記憶領域４２２ｂに書き込まれた画像セグメントを用いて表示する。図９の拡大画像（１）の場合は、拡大表示用画像データＡ１の画像セグメントＡ２３，Ａ２４，Ａ３３，Ａ３４（Ａ１）を用いて表示されている。図９の拡大画像（２）の場合は、拡大表示用画像データＡ１の画像セグメントＡ４３，Ａ４４，Ａ５３，Ａ５４（Ａ１）を用いて表示されている。
【００４６】
続いてＳ１０では、拡大表示を終了するか否かの判定がなされる。拡大表示を終了しないのであれば、現在の拡大表示を継続する。他方、拡大表示を終了する場合には、Ｓ１１にて初期表示用画像データＡ０に基づく初期画像の表示に戻した上でＳ６に戻る。
【００４７】
上記した画像表示プログラム４５ａによれば、高解像度を有する拡大表示用の画像セグメントのダウンロードが、ユーザーによる拡大要求操作とは無関係に、かつ拡大要求操作に先立って開始されるため、拡大要求操作がなされるまでの間に端末装置側での拡大表示用の画像セグメントのダウンロードを完了しておくことが可能となる。このため、拡大要求操作が実行された際に、対応する拡大画像の表示をより素早く行なうことができる。さらに、拡大表示用の画像セグメントのダウンロードは、ユーザーにより拡大され易い被拡大画像上の特徴部ほど先にダウンロードされるようになっているので、ユーザーによりその特徴部を拡大する拡大要求操作がなされた際には特に、対応する画像を素早く表示することができる。
【００４８】
上述した画像表示システム１は、初期表示用画像データに基づき表示される画像を、複数の商品が同時表示されたカタログ画像の表示に利用することができる。図９に表示する被拡大画像は、画像上のモデルＨが着用する衣服を商品として販売するためのカタログ画像Ｃであり、ユーザーは、自身の求める商品（服や靴）Ｐ１〜Ｐ３や、その解説文章等の文字表示部分Ｔ１〜Ｔ３を拡大して閲覧するために、端末装置４に設けられたマウスやジョイスティック等のポインティングデバイス４８の操作により拡大領域Ｚ（例えばＺ１やＺ２）を指定することで、端末装置４では、指定された領域Ｚを拡大して表示することができる。
【００４９】
この領域Ｚの拡大表示は、領域Ｚに対応する画像セグメントを用いて行なわれる。この画像セグメントは、被拡大画像の表示完了あるいは被拡大画像の画像データ（初期表示用画像データ）のダウンロード完了に伴い、既にＲＡＭ４２上に着々とダウンロードされてきている。場合によっては、拡大領域Ｚの指定前に全ての画像セグメントのダウンロードが完了している。このため、拡大領域Ｚを素早く表示することができる。
【００５０】
また、図９の場合、統計情報として、画像セグメント毎に、これまで拡大表示された回数がカウントされ、画像セグメントのダウンロード順序は、このカウント数に多い順に定められている。図９のカタログ画像Ｃにおいては、商品表示部分Ｐ１〜Ｐ３や文字表示部分Ｔ１〜Ｔ３に対応する画像セグメントの拡大閲覧が多く、逆に背景部分Ｂに関しての拡大閲覧は少ないという統計が得られるはずである。この場合、本実施形態においては、拡大表示用の画像セグメントの、Ｗｅｂサーバー２からのダウンロードは、拡大閲覧数の多い画像セグメントから順にダウンロード優先順位を定めて、その優先順位に従い順次ダウンロードされる。このため、拡大閲覧数の多い商品表示部分Ｐ１〜Ｐ３を特徴部とし、その特徴部の画像セグメント（特徴部画像セグメント）のダウンロードがいち早く完了するので、その特徴部の拡大要求操作が比較的速くなされた場合であっても、画面上に素早く表示できる。特に、複数の商品が一画像内に表示される場合、最も拡大閲覧要求の高い人気商品の表示部分が最初にダウンロードされるので、人気商品を素早く拡大表示することができる。
【００５１】
なお、図９において、ダウンロード優先順位の最も高い特徴部画像セグメントは、商品表示部分Ｐ１〜Ｐ３の主要部に対応する画像セグメントＡ３３，Ａ４３，Ａ５２であると推測できる。また、次にダウンロード優先順位の高い特徴部画像セグメントは、その特徴部画像セグメントＡ３３，Ａ４３，Ａ５２の周囲にて位置して商品画像の一部が含まれる画像セグメントＡ２２，Ａ２３，Ａ３２，Ａ３４，Ａ４２，Ａ４３，Ａ４４，Ａ５３，Ａ５４であると推測できる。逆に、ダウンロード優先順位の低い画像セグメントは、特に何も表示されない背景部分Ｂをなす画像セグメントＡ１３，Ａ１４，Ａ１５，Ａ３１，Ａ５５であると推測できる。特には、商品に周辺に位置しない画像セグメントＡ１４，Ａ１５，Ａ５５を最も優先順位の低い画像セグメントであると推測できる。なお、本実施形態においては、これらのダウンロード優先順位はあくまで、各画像セグメントのダウンロード実績（拡大設定数）に基づいて設定されるものである。
【００５２】
以上、本発明の一実施形態を説明したが、これらはあくまで例示にすぎず、本発明はこれらに限定されるものではなく、特許請求の範囲の趣旨を逸脱しない限りにおいて種々の変更が可能である。
【００５３】
例えば、上記実施形態においては、被拡大画像の全領域に対応する全ての画像セグメントの、Ｗｅｂサーバー２からのダウンロードが、拡大領域の設定確定に先立って開始される構成となっているが、被拡大画像において拡大表示されやすい領域に対応する画像セグメントのみを、拡大領域の設定に先立ってダウンロード開始されるように構成してもよい。例えば、被拡大画像の特徴部、さらに加えるならばその周囲に対応する画像セグメントのみを拡大領域の設定前にダウンロード開始するように構成することができる。この場合、残余の画像セグメントは、拡大領域に設定されたときに、Ｗｅｂサーバー２からダウンロードするように構成できる。これにより、拡大要求の低い画像データの受信が必要なくなり、Ｗｅｂサーバー２及び端末装置４における送受信処理を軽減できる。
【００５４】
また、上記実施形態においては、初期表示される低解像度で非分割の画像データに対し、一段階高い解像度の画像データの画像セグメントにより拡大表示が行なわれているが、低解像度で非分割の画像データに対し、それよりも高い複数段階の解像度を有する画像データを有し、複数段階の拡大を実現する構成とすることができる。具体的に言えば、画像データを、解像度が高くなるほど画像セグメントによる分割数が多くなるように構成された３以上の解像度階層を有したものとして構成して、最も解像度の高い階層を除く任意の階層の画像データが被拡大画像をなす被拡大画像画像データ（第一解像度画像データ）として使用可能とし、当該第一解像度データよりも解像度の高い別の階層の画像データを拡大表示用画像データ（第二解像度データ）として使用可能とすることで、複数段階の拡大を実現できる構成となる。
【００５５】
例えば、図１０に示すような３階層の階層構造画像データを構築することができる。ここでは、初期表示用画像データＡ０と、初期表示用画像データＡ０よりも高解像度を有しよりも高解像度を有した複数の画像セグメントＡ１１〜Ａ２２の集合よりなる第一拡大表示用画像データＡ１と、第一拡大表示用画像データＡ１よりも高解像度を有しよりも高解像度を有した複数の画像セグメントＡ１１１１〜Ａ２２２２の集合よりなる第二拡大表示用画像データＡ２と、による３階層の階層構造画像データが構築されている。この場合、初期表示用画像データＡ０による画像を、一段階上の解像度を有する第一拡大表示用画像データＡ１による画像に拡大するに際して、初期表示用画像データＡ０を第一解像度画像データ、第一拡大表示用画像データＡ１を第二解像度画像データと定めて拡大表示が行なわれる。さらに、この第一拡大表示用画像データＡ１による画像を、一段階上の解像度を有する第二拡大表示用画像データＡ２による画像に拡大するに際しては、第一拡大表示用画像データＡ１を第一解像度画像データ、第二拡大表示用画像データＡ２を第二解像度画像データと定めて更なる拡大表示が行なわれる。また、初期表示用画像データＡ０による画像を、複数段階上（ここでは二段階上）の解像度を有する第二拡大表示用画像データＡ２による画像に拡大するに際しては、初期表示用画像データＡ０を第一解像度画像データ、第二拡大表示用画像データＡ２を第二解像度画像データと定めて拡大表示が行なわれる。
【００５６】
この三階層の階層構造画像データの画像を、図１１に示すカタログ画像Ｃ２を表示するものとすると、初期表示用画像データＡ０に基づき表示されているカタログ画像Ｃ２を被拡大画像とし、端末装置４に設けられたマウス等のポインティングデバイス４８の操作により、該被拡大画像上で拡大領域Ｚを設定確定することで、当該拡大領域Ｚの拡大画像を表示できる。例えば、図１１の拡大領域Ｚ３が設定確定された場合、当該拡大画像は、初期表示用画像データＡ０よりも一段階上の解像度を有する第一拡大画像データＡ１の画像セグメントＡ２１を用いて表示される（拡大画像（３））。この拡大画像をさらに拡大する場合には、この拡大画像を被拡大画像とし、端末装置４のポインティングデバイス４８の操作により、該被拡大画像上で更なる拡大領域Ｚを設定確定することで、当該拡大領域Ｚの拡大画像を表示することができる（拡大画像（４））。このように、３以上の階層を有する階層構造画像データを用いることにより、第一解像度データに隣接する高解像度階層の画像データを第二解像度画像データとして使用して、拡大領域を下位の解像度階層側から順次適用することにより画像を段階的に拡大しながら表示することが可能となる。例えば、図１１の拡大領域Ｚ４が設定確定された場合、当該拡大画像は、第一拡大画像データＡ１（画像セグメント２１）よりも一段階上の解像度を有する第二拡大画像データＡ２の画像セグメントＡ２１１１を用いて拡大画像が表示される。
【００５７】
他方、第一解像度データに隣接する画像データをとばして、より高い解像度を有する画像データを第二解像度画像データとして使用してもよい。特に、拡大領域Ｚの範囲を調整できる場合（例えば任意に調整できる場合）は、その範囲が画像セグメントよりも小さい状態で、拡大領域Ｚが設定確定されたときに好適である。例えば、図１１において、初期表示用画像データＡ０に基づき表示されているカタログ画像Ｃ２の拡大画像を表示するために、該カタログ画像Ｃ２を被拡大画像とし、その被拡大画像Ｃ２上にて、画像セグメントＡ１１１１〜Ａ２２２２よりも小面積の拡大領域Ｚ５により拡大要求操作なされた場合に、拡大領域Ｚ５を設定確定することで、当該拡大領域Ｚ５の拡大画像を複数段階高い解像度を有する階層の画像データにて表示できる。ここでは、初期表示用画像データＡ０よりも二段階上の解像度を有する第二拡大画像データＡ２の画像セグメントＡ２１２１（Ａ２），Ａ２２２１（Ａ２）を用いて表示される。
【００５８】
なお、このとき、Ｗｅｂサーバー２の画像データベース２５１には、図１２に示すように、初期表示用画像データＡ０，Ｂ０・・・と、第一拡大表示用画像データＡ１，Ｂ１・・・と、第二拡大表示用画像データＡ２，Ｂ２・・・とが、Ｗｅｂサーバー２の画像データベース２５１に格納しておく。また、第一拡大表示用画像データＡ１，Ｂ１・・・と、第二拡大表示用画像データＡ２，Ｂ２・・・とのそれぞれには、図１３に示すように、統計情報ＡＸ１，ＡＸ２，ＢＸ１，ＢＸ２・・・が対応付けられて記憶されており、それぞれの画像セグメント毎に、拡大表示のための閲覧要求頻度の集計結果が蓄積されている。
【００５９】
図１１に示す初期表示用画像データＡ０に基づくカタログ画像Ｃ２における統計情報としては、商品表示部分Ｐ４〜Ｐ７や文字表示部分Ｔ４，Ｔ５に対応する画像セグメントの拡大閲覧が多く、逆に背景部分Ｂに関しての拡大閲覧は少ないという統計が得られるはずである。この場合、拡大表示用の画像セグメントの、Ｗｅｂサーバー２からのダウンロードは、拡大閲覧数（閲覧要求頻度）の多い画像セグメントから順にダウンロード優先順位を定めて、その優先順位に従い順次ダウンロードされる。図１１においては、複数階層（三階層）の階層構造画像データの画像を有しているため、画像セグメントのダウンロード優先順位は、それら階層とは無関係に、拡大閲覧数（閲覧要求頻度）の多い画像セグメントを優先する形で定められる。つまり、第一拡大表示用画像データと第二拡大表示用画像データとの間でのダウンロード優先関係はなく、それら階層に含まれる全画像セグメントからダウンロード優先度が定められるようになっている。
【００６０】
図１１の場合、ダウンロード優先順位の最も高い特徴部画像セグメントは、メイン商品の主要部が表示されている画像セグメントＡ２１（Ａ１）であると推定できる。また、次にダウンロード優先順位の高い準特徴部画像セグメントとしては、メイン商品の主となる特徴部が含まれる画像セグメントＡ２１１１（Ａ２）が定められる可能性が高い。このように、３以上の解像度階層を有する画像データが使用される場合には、第一解像度データとして使用される解像度階層（上記の場合、画像データＡ０の階層）よりも高解像度となる複数の階層（上記の場合、画像データＡ１及びＡ２の階層）から、各々特徴部画像セグメントとして対応付けられる画像セグメント群（上記の場合、画像セグメントＡ２１（Ａ１）及びＡ２１１１（Ａ２））を、該複数の階層にまたがって抽出し、これを残余の画像セグメントよりも優先的にダウンロードすることができる。
【００６１】
なお、図１１の場合、上記画像セグメントＡ２１（Ａ１）及びＡ２１１１（Ａ２）に続いて、解説文章の表示がある画像セグメントＡ１１（Ａ１），Ａ２２（Ａ１）、さらに続いて画像セグメントＡ１２（Ａ１）と注目商品が表示されている画像セグメントＡ２２２１（Ａ２），Ａ２２１１（Ａ２）、その次に、各商品が含まれる第二拡大表示用画像データＡ２に属する画像セグメントＡ１１２２，Ａ１２２１，Ａ２１１２，Ａ２１２２が優先的にダウンロードするように定められる可能性が高い。
【００６２】
また、図１１のように、３以上の階層を有する階層構造画像データにより拡大表示が行なわれる場合には、拡大画像表示を行なう際の解像度のレベル設定を、選択された拡大領域Ｚの面積に応じて変更するように構成することができる。具体的に言えば、まず、各階層に属する画像セグメントの形状及び大きさを各階層毎にて統一されるように予め定めておく。そして、被拡大画像上における拡大領域Ｚの範囲枠の設定を、表示された被拡大画像上において、それら階層のいずれかに属する画像セグメントと同じ形状・同じ大きさに選択設定する形で行なう。拡大領域Ｚの範囲枠が設定された場合には、当該範囲枠と同じ形状・同じ大きさの画像セグメントの属する階層の画像データを第二解像度画像データとして使用する形で、設定された拡大領域Ｚの拡大表示を行なう。これにより、拡大表示を、拡大領域Ｚに応じた適切な解像度を有する画像セグメントに基づいて行なうことができるとともに、拡大に使用される画像セグメント数が制限されるから拡大処理の簡易化にもつながる。図１１の場合、被拡大画像Ｃ２（画像データＡ０）上の拡大領域Ｚ３は、表示された該被拡大画像上Ｃ２にて、画像データＡ１に属する画像セグメントと同じ形状・同じ大きさに設定され、設定された拡大領域Ｚ３に基づいて拡大画像（３）が表示されている。また、この拡大画像（３）を被拡大画像とした場合には、拡大領域Ｚ４が、その表示された拡大画像（３）上において、画像データＡ２に属する画像セグメントと同じ形状・同じ大きさに設定され、設定された拡大領域Ｚ４に基づいて拡大画像（４）が表示される。また、拡大領域Ｚ５は、表示された被拡大画像上Ｃ２において、画像データＡ２に属する画像セグメントと同じ形状・同じ大きさに設定され、拡大領域Ｚ５に基づいて拡大画像（５）が表示される。なお、拡大画像表示を行なう際の解像度のレベル設定は、拡大表示時にユーザーにより入力設定される構成であってもよい。
【００６３】
ところで、これまでに述べた実施形態においては、拡大表示のための（閲覧要求頻度）として、拡大表示用画像データの画像セグメント毎に、確定されたダウンロード実績（拡大表示された回数）が集計されているが、拡大表示のための統計情報（閲覧要求頻度）として、拡大表示用画像データの画像セグメント毎に、端末装置４の入力部４８をなすポインティングデバイスによって操作される、モニタ画面４７上のポインタによる拡大位置の選択結果を集計するものであってもよい。つまり、モニタ画面４７上におけるポインタの指示実績（図１４参照）を統計情報とすることができる。具体的には、各画像セグメント上にポインタが位置した回数や、各画像セグメント上にポインタが位置していた累積時間等を、統計情報として集計することができる。ポインタの指示位置はユーザーの視認位置であることが多いので、この構成によると、ユーザーの注目度が高いほど、画像セグメントが優先的にダウンロードされるようにできる。
【００６４】
また、上記実施形態においては、被拡大画像は、図９や図１１に示すようなカタログ画像であったが、それ以外の画像であってもよく、例えば、図１５に示すような地図画像Ｍとすることができる。この場合、上述の統計情報に応じて地図画像Ｍにおける特徴部の画像領域を閲覧要求頻度の集計序列に応じて定め、該画像領域を含む特徴部画像セグメントのダウンロードが残余の画像セグメントよりも優先的に開始されるように構成できる。地図画像が被拡大画像となる場合は、市街地表示部分Ｕに対応する画像セグメントの拡大閲覧が多く、逆に山間部Ｒや海・湖Ｓの部分に関しての拡大閲覧が少ないという統計が得られるはずであり、これらの閲覧要求頻度に応じた順序で部画像セグメントのダウンロードを行なうことができる。
【００６５】
地図画像を表示するための画像データは、複数の固定縮尺毎に異なる解像度の画像データを有した階層構造画像データとすることができる。より具体的にいえば、縮尺が小となるに応じて解像度が増すように定められた３以上の解像度階層を有する画像データとすることができる。この地図画像表示用の画像データは、Ｗｅｂサーバー２の画像データベース２５１に予め格納しておく。図１５の場合、表示縮尺が３以上（ここでは７段階）あるので、それら３階層以上（７階層）の解像度階層を有する画像データがＷｅｂサーバー２上に格納されている。
【００６６】
端末装置４から、当該地図画像を表示するＷｅｂページへのアクセスがあると、Ｗｅｂサーバー２は、端末装置４に対し、対応するＷｅｂファイルを送信するとともに、初期表示用画像データとしてデフォルト縮尺に対応する画像データを送信する。
【００６７】
なお、ここでの初期表示用画像データは、端末装置４において、複数の画像セグメントからなる画像データ（第一解像度画像データ）である。そして、デフォルト縮尺は、最低解像度の画像データではないものに定められているものとし、初期表示用画像データは複数の画像セグメントの集合からなるものとする。
【００６８】
初期表示用画像データのダウンロードが完了すると、その初期表示用画像データに基づく地図画像（初期画像）が表示される。そして、この画像を被拡大画像とする拡大表示が可能となる。拡大表示を行なう場合、まずは、端末装置４のポインティングデバイス等の入力部４８への入力操作により、被拡大画像上にて拡大領域を設定する。具体的に言えば、拡大領域Ｚは地図表示枠Ｆ内の中心位置Ｏ周辺に、後に設定する拡大縮尺に応じた範囲で設定されるので、地図表示枠Ｆ内に現在表示されている表示領域の中心位置Ｏを位置変更する形で、拡大領域Ｚが設定される。なお、地図表示枠Ｆ内の表示領域の変更は、例えば、ユーザーがポインティングデバイスをなすマウス等により地図表示枠Ｆ内を選択操作（クリック）して、地図表示枠Ｆ内の中心位置Ｏを当該選択位置に移動させる形で行なうことができるし、あるいは、地図表示枠Ｆの周囲８箇所に表示される移動ボタンＮを選択操作（クリック）することにより、地図表示枠Ｆ内に現在表示されている地図領域を、それら移動ボタンＮに対応する方向に隣接する地図領域に切り替える形で行なうこともできる。そして、拡大領域Ｚの設定確定は、各縮尺に対応する縮尺選択ボタンＬを選択操作（クリック）することによりなされる。
【００６９】
一方で、端末装置４では、拡大領域Ｚの設定確定に先立って、初期表示用画像データ（第一解像度画像データ）による画像を拡大表示するための拡大表示用画像データ（第二解像度画像データ）を構成する画像セグメントをダウンロード開始している。ここでは、初期表示用画像データのダウンロードが完了したとき、あるいはダウンロードした初期表示用画像データに基づく初期表示が完了したときに、その完了に基づいて、拡大表示用画像データを構成する画像セグメントのうち、被拡大画像上に特徴部として予め定められた画像領域を含む特徴部画像セグメントのダウンロードが残余の画像セグメントよりも優先的に開始される。各階層における画像セグメントのダウンロード優先順位は、それら画像セグメントがそれぞれ属する階層とは無関係に定められる。ここでは、上記したように、市街地表示部分Ｕに対応する画像セグメントほど先に、他方、山間部Ｒや海・湖Ｓの部分の画像セグメントほど後にダウンロードされるようダウンロード優先順位が定められ、その優先順位に従いダウンロードが実行される。
【００７０】
なお、カタログ画像や地図画像のように、被拡大画像（特に初期画像）における特徴部をある程度類推できる場合には、拡大表示用画像データ（第二解像度画像データ）を構成する画像セグメントの一部をなす特定のものを、特徴部画像セグメントとして固定的に定めることもできる。これにより、ダウンロードに係る処理を簡略化することができる。そして、この場合のダウンロード優先順位としては、特徴部画像セグメントに続く形で該特徴部画像セグメントの周囲に配置された画像セグメントを優先させることができる。
【図面の簡単な説明】
【００７１】
【図１】本発明のデータ配信システムの全体構造の一例を示すブロック図。
【図２】端末装置の構成例を示すブロック図。
【図３】端末装置のＲＡＭにおける一部記憶内容を示す図。
【図４】Ｗｅｂサーバー（画像サーバー）の構成例を示すブロック図。
【図５】Ｗｅｂサーバーの記憶装置における一部記憶内容を示す図。
【図６】階層構造画像データの説明図。
【図７】統計情報の記憶内容を示す図。
【図８】図１のシステムによるデータ配信及び画像表示処理の流れを示すフローチャート。
【図９】電子カタログのレイアウトの一例を示す模式図。
【図１０】本発明の第二実施形態に係る階層構造画像データの説明図。
【図１１】図９とは異なる電子カタログのレイアウトの一例を示す模式図。
【図１２】本発明の第二実施形態に係るＷｅｂサーバーの記憶装置における一部記憶内容を示す図。
【図１３】図７とは異なる統計情報の記憶内容を示す図。
【図１４】図７及び図１３とは異なる統計情報の記憶内容を示す図。
【図１５】電子地図のレイアウトの一例を示す模式図。
【符号の説明】
【００７２】
１  画像表示システム
２  Ｗｅｂサーバー（画像サーバー）
３  インターネット（通信ネットワーク）
４  端末装置
【図１】
2008257555.tif 000003
【図２】
2008257555.tif 000004
【図３】
2008257555.tif 000005
【図４】
2008257555.tif 000006
【図５】
2008257555.tif 000007
【図６】
2008257555.tif 000008
【図７】
2008257555.tif 000009
【図８】
2008257555.tif 000010
【図９】
2008257555.tif 000011
【図１０】
2008257555.tif 000012
【図１１】
2008257555.tif 000013
【図１２】
2008257555.tif 000014
【図１３】
2008257555.tif 000015
【図１４】
2008257555.tif 000016
【図１５】
2008257555.tif 000017
【手続補正書】
【提出日】平成19年7月27日(2007.7.27)
【手続補正１】
【補正対象書類名】特許請求の範囲
【補正対象項目名】全文
【補正方法】変更
【補正の内容】
【特許請求の範囲】
【請求項１】
画像サーバーからダウンロードした画像データに基づき端末装置のモニタ画面に画像を表示する画像表示システムにおいて、
前記画像サーバーに設けられ、前記画像を前記モニタ画面上に表示するための画像データであって、１又は複数の画像セグメントからなる第一解像度画像データと、その第一解像度画像データの画像セグメントを各々複数個に分割する画像セグメント群の集合からなる、前記第一解像度画像データよりも高解像度の第二解像度画像データとを含む画像データを記憶する画像データ記憶部と、
前記端末装置に設けられ、前記第一解像度画像データに基づく被拡大画像を表示する被拡大画像表示手段と、
前記端末装置に設けられ、前記被拡大画像上に拡大領域を移動可能に設定する拡大領域設定手段と、
前記端末装置に設けられ、前記第二解像度画像データのうち、設定確定された拡大領域に属する画像セグメントを用いて、前記被拡大画像を前記拡大領域に拡大表示する拡大画像表示手段と、
前記端末装置に設けられ、前記第二解像度画像データを構成する画像セグメントのうち、前記被拡大画像上に特徴部として予め定められた画像領域を含む特徴部画像セグメントのダウンロードを、前記拡大画像表示手段による前記拡大領域の設定確定に先立って残余の画像セグメントよりも優先的に開始する画像セグメントダウンロード手段と、
を備え、さらに、
前記画像データは、解像度が高くなるほど前記画像セグメントによる分割数が多くなるように構成された３以上の解像度階層を有し、かつそれら解像度階層毎に、属する画像セグメントの形状及び大きさが同じになるよう統一されたものとして構成されるとともに、最も解像度の高い階層を除く任意の階層の画像データが前記被拡大画像をなす前記第一解像度画像データとして使用可能とされ、
前記被拡大画像表示手段は、前記拡大画像表示手段による拡大表示が実行された後に、拡大表示された拡大画像の画像データを前記第一解像度画像データとする形で該拡大画像を被拡大画像に設定する一方で、該第一解像度画像データよりもさらに解像度の高い別の階層の画像データを新たな前記第二解像度データとする形で、前記被拡大画像を下位の解像度階層側から順次適用するものであり、
前記拡大領域設定手段は、前記被拡大画像上にて、該被拡大画像に含まれる前記第二解像度画像データをなす各前記画像セグメントと同じ形状で、かつ同じ大きさを有した、拡大領域を設定確定するための拡大領域枠を移動可能に設定し、
前記拡大画像表示手段は、設定確定された前記拡大領域に属する画像セグメントを用いて前記被拡大画像を前記拡大領域に拡大表示することにより、該拡大表示を下位の解像度階層側から順次行っていくものであり、
前記画像セグメントダウンロード手段は、初めに表示される前記被拡大画像をなす前記第一解像度データの解像度階層よりも高解像度となる全ての解像度階層に属する全画像セグメントをダウンロードの対象として、当該第一解像度データとして使用される解像度階層よりも高解像度となる複数の階層から、各々前記特徴部画像セグメントとして対応付けられる画像セグメント群を、該複数の階層にまたがって抽出し、これを残余の画像セグメントよりも優先的にダウンロードするものであることを特徴とする画像表示システム。
【請求項２】
前記拡大画像表示手段は、前記第一解像度データに隣接する高解像度階層の画像データを前記第二解像度画像データとして使用し、前記拡大領域を下位の解像度階層側から順次適用することにより画像を段階的に拡大しながら表示する請求項１記載の画像表示システム。
【請求項３】
前記画像セグメントダウンロード手段は、前記特徴部の画像領域が複数の画像セグメントにまたがって含まれる場合に、それら画像セグメントのダウンロードを残余のセグメントよりも優先的に開始する請求項１又は請求項２に記載の画像表示システム。
【請求項４】
前記第二解像度画像データを構成する画像セグメントの一部をなす特定のものが、前記特徴部画像セグメントとして固定的に定められてなる請求項１ないし請求項３のいずれか１項に記載の画像表示システム。
【請求項５】
前記画像セグメントダウンロード手段は、前記拡大領域の設定とは無関係に、該特徴部画像セグメントの周囲に配置された画像セグメントのダウンロードを、前記特徴部画像セグメントのダウンロードに続く形で継続する請求項４記載の画像表示システム。
【請求項６】
前記第一解像度画像データに基づく画像はカタログ商品が表示されたカタログ画像であり、前記画像セグメントダウンロード手段は、該カタログ画像の商品表示部分を前記特徴部の画像領域として定めて、該画像領域を含む前記特徴部画像セグメントのダウンロードを優先的に開始するものである請求項４又は請求項５に記載の画像表示システム。
【請求項７】
前記第一解像度画像データに基づく画像は地図画像であり、前記画像セグメントダウンロード手段は、該地図画像における市街地領域を前記特徴部の画像領域として定めて、該画像領域を含む前記特徴部画像セグメントのダウンロードを優先的に開始するものである請求項５又は請求項６に記載の画像表示システム。
【請求項８】
前記端末装置から前記画像サーバーに対する、前記拡大表示のための閲覧要求頻度を前記第二解像度画像データの前記画像セグメント毎に集計する閲覧要求頻度集計手段を有し、
前記画像セグメントダウンロード手段は、該閲覧要求頻度の集計序列において一定以上高位に位置する画像セグメントを、該集計結果の変動に応じて更新しつつ前記特徴部画像セグメントとして優先的にダウンロード開始する請求項１ないし請求項３のいずれか１項に記載の画像表示システム。
【請求項９】
前記画像セグメントダウンロード手段は、前記閲覧要求頻度の集計序列において上位に位置する画像セグメントから順にダウンロードする請求項８記載の画像表示システム。
【請求項１０】
前記閲覧要求頻度集計手段は、前記拡大表示のための閲覧要求頻度として、前記画像セグメント毎に、確定されたダウンロード実績を集計するものである請求項８又は請求項９のいずれか１項に記載の画像表示システム。
【請求項１１】
前記閲覧要求頻度集計手段は、前記拡大表示のための閲覧要求頻度として、前記画像セグメント毎に、前記端末装置のポインティングデバイスによって操作される、前記モニタ画面上のポインタによる拡大位置の選択結果を集計するものである請求項８又は請求項９のいずれか１項に記載の画像表示システム。
【手続補正書】
【提出日】平成19年11月2日(2007.11.2)
【手続補正１】
【補正対象書類名】特許請求の範囲
【補正対象項目名】全文
【補正方法】変更
【補正の内容】
【特許請求の範囲】
【請求項１】
画像サーバーからダウンロードした画像データに基づき端末装置のモニタ画面に画像を表示する画像表示システムにおいて、
前記画像サーバーに設けられ、前記画像を前記モニタ画面上に表示するための画像データであって、１又は複数の画像セグメントからなる第一解像度画像データと、その第一解像度画像データの画像セグメントを各々複数個に分割する画像セグメント群の集合からなる、前記第一解像度画像データよりも高解像度の第二解像度画像データとを含む画像データを記憶する画像データ記憶部と、
前記端末装置に設けられ、前記第一解像度画像データに基づく被拡大画像を表示する被拡大画像表示手段と、
前記端末装置に設けられ、前記被拡大画像上に拡大領域を移動可能に設定する拡大領域設定手段と、
前記端末装置に設けられ、前記第二解像度画像データのうち、設定確定された拡大領域に属する画像セグメントを用いて、前記被拡大画像を前記拡大領域に拡大表示する拡大画像表示手段と、
前記端末装置に設けられ、前記第二解像度画像データを構成する画像セグメントのうち、前記被拡大画像上に特徴部として予め定められた画像領域を含む特徴部画像セグメントのダウンロードを、前記拡大画像表示手段による前記拡大領域の設定確定に先立って残余の画像セグメントよりも優先的に開始する画像セグメントダウンロード手段と、
を備え、さらに、
前記画像データは、解像度が高くなるほど前記画像セグメントによる分割数が多くなるように構成された３以上の解像度階層を有し、かつそれら解像度階層毎に、属する画像セグメントの形状及び大きさが同じになるよう統一されたものとして構成されるとともに、最も解像度の高い階層を除く任意の階層の画像データが前記被拡大画像をなす前記第一解像度画像データとして使用可能とされ、
前記被拡大画像表示手段は、前記拡大画像表示手段による拡大表示が実行された後に、拡大表示された拡大画像の画像データを前記第一解像度画像データとする形で該拡大画像を被拡大画像に設定する一方で、該第一解像度画像データよりもさらに解像度の高い別の階層の画像データを新たな前記第二解像度画像データとする形で、前記被拡大画像を下位の解像度階層側から順次適用するものであり、
前記拡大領域設定手段は、前記被拡大画像上にて、該被拡大画像に含まれる前記第二解像度画像データをなす各前記画像セグメントと同じ形状で、かつ同じ大きさを有した、拡大領域を設定確定するための拡大領域枠を移動可能に設定し、
前記拡大画像表示手段は、設定確定された前記拡大領域に属する画像セグメントを用いて前記被拡大画像を前記拡大領域に拡大表示することにより、該拡大表示を下位の解像度階層側から順次行っていくものであり、
前記画像セグメントダウンロード手段は、初めに表示される前記被拡大画像をなす前記第一解像度画像データの解像度階層よりも高解像度となる全ての解像度階層に属する全画像セグメントをダウンロードの対象として、当該第一解像度画像データとして使用される解像度階層よりも高解像度となる複数の階層から、各々前記特徴部画像セグメントとして対応付けられる画像セグメント群を、該複数の階層にまたがって抽出し、これを残余の画像セグメントよりも優先的にダウンロードするものであることを特徴とする画像表示システム。
【請求項２】
前記拡大画像表示手段は、前記第一解像度画像データに隣接する高解像度階層の画像データを前記第二解像度画像データとして使用し、前記拡大領域を下位の解像度階層側から順次適用することにより画像を段階的に拡大しながら表示する請求項１記載の画像表示システム。
【請求項３】
前記画像セグメントダウンロード手段は、前記特徴部の画像領域が複数の画像セグメントにまたがって含まれる場合に、それら画像セグメントのダウンロードを残余のセグメントよりも優先的に開始する請求項１又は請求項２に記載の画像表示システム。
【請求項４】
前記第二解像度画像データを構成する画像セグメントの一部をなす特定のものが、前記特徴部画像セグメントとして固定的に定められてなる請求項１ないし請求項３のいずれか１項に記載の画像表示システム。
【請求項５】
前記画像セグメントダウンロード手段は、前記拡大領域の設定とは無関係に、該特徴部画像セグメントの周囲に配置された画像セグメントのダウンロードを、前記特徴部画像セグメントのダウンロードに続く形で継続する請求項４記載の画像表示システム。
【請求項６】
前記第一解像度画像データに基づく画像はカタログ商品が表示されたカタログ画像であり、前記画像セグメントダウンロード手段は、該カタログ画像の商品表示部分を前記特徴部の画像領域として定めて、該画像領域を含む前記特徴部画像セグメントのダウンロードを優先的に開始するものである請求項４又は請求項５に記載の画像表示システム。
【請求項７】
前記第一解像度画像データに基づく画像は地図画像であり、前記画像セグメントダウンロード手段は、該地図画像における市街地領域を前記特徴部の画像領域として定めて、該画像領域を含む前記特徴部画像セグメントのダウンロードを優先的に開始するものである請求項４又は請求項５に記載の画像表示システム。
【請求項８】
前記端末装置から前記画像サーバーに対する、前記拡大表示のための閲覧要求頻度を前記第二解像度画像データの前記画像セグメント毎に集計する閲覧要求頻度集計手段を有し、
前記画像セグメントダウンロード手段は、該閲覧要求頻度の集計序列において一定以上高位に位置する画像セグメントを、該集計結果の変動に応じて更新しつつ前記特徴部画像セグメントとして優先的にダウンロード開始する請求項１ないし請求項３のいずれか１項に記載の画像表示システム。
【請求項９】
前記画像セグメントダウンロード手段は、前記閲覧要求頻度の集計序列において上位に位置する画像セグメントから順にダウンロードする請求項８記載の画像表示システム。
【請求項１０】
前記閲覧要求頻度集計手段は、前記拡大表示のための閲覧要求頻度として、前記画像セグメント毎に、確定されたダウンロード実績を集計するものである請求項８又は請求項９のいずれか１項に記載の画像表示システム。
【請求項１１】
前記閲覧要求頻度集計手段は、前記拡大表示のための閲覧要求頻度として、前記画像セグメント毎に、前記端末装置のポインティングデバイスによって操作される、前記モニタ画面上のポインタによる拡大位置の選択結果を集計するものである請求項８又は請求項９のいずれか１項に記載の画像表示システム。
【手続補正２】
【補正対象書類名】明細書
【補正対象項目名】００１２
【補正方法】変更
【補正の内容】
【００１２】
画像データは、解像度が高くなるほど画像セグメントによる分割数が多くなるように構成された３以上の解像度階層を有したものとして構成することができる。このとき、最も解像度の高い階層を除く任意の階層の画像データが被拡大画像をなす第一解像度画像データとして使用可能にして、当該第一解像度画像データよりも解像度の高い別の階層の画像データが第二解像度画像データとして使用されるようにできる。この構成によると、３以上の解像度階層を有する画像データであっても、拡大用画像セグメントの、上記のような効率的な画像セグメントのダウンロード、ひいては拡大表示を実行可能となる。
【手続補正３】
【補正対象書類名】明細書
【補正対象項目名】００１３
【補正方法】変更
【補正の内容】
【００１３】
また、拡大画像表示手段は、第一解像度画像データに隣接する高解像度階層の画像データを第二解像度画像データとして使用し、拡大領域を下位の解像度階層側から順次適用することにより画像を段階的に拡大しながら表示するように構成できる。これにより、順次解像度を上げていく形での拡大表示が可能となる。
【手続補正４】
【補正対象書類名】明細書
【補正対象項目名】００１４
【補正方法】変更
【補正の内容】
【００１４】
また、画像セグメントダウンロード手段は、第一解像度画像データとして使用される解像度階層よりも高解像度となる複数の階層から、各々特徴部画像セグメントとして対応付けられる画像セグメント群を、該複数の階層にまたがって抽出し、これを残余の画像セグメントよりも優先的にダウンロードするものとできる。複数段階の階層にまたがって拡大を行なう場合、拡大され易い特徴部画像セグメントは、必ずしも被拡大画像の次に高い解像度を有する階層の画像セグメントにのみ定められるとは限らず、さらに高い解像度を有する階層の画像セグメントに定められていてもよい。この構成によると、ダウンロードの優先度が階層とは無関係に定められるので、複数の解像度階層を有する画像データにおいても、より効率的な画像セグメントのダウンロード、ひいては拡大表示を実行可能となる。
【手続補正５】
【補正対象書類名】明細書
【補正対象項目名】００５４
【補正方法】変更
【補正の内容】
【００５４】
また、上記実施形態においては、初期表示される低解像度で非分割の画像データに対し、一段階高い解像度の画像データの画像セグメントにより拡大表示が行なわれているが、低解像度で非分割の画像データに対し、それよりも高い複数段階の解像度を有する画像データを有し、複数段階の拡大を実現する構成とすることができる。具体的に言えば、画像データを、解像度が高くなるほど画像セグメントによる分割数が多くなるように構成された３以上の解像度階層を有したものとして構成して、最も解像度の高い階層を除く任意の階層の画像データが被拡大画像をなす被拡大画像画像データ（第一解像度画像データ）として使用可能とし、当該第一解像度画像データよりも解像度の高い別の階層の画像データを拡大表示用画像データ（第二解像度画像データ）として使用可能とすることで、複数段階の拡大を実現できる構成となる。
【手続補正６】
【補正対象書類名】明細書
【補正対象項目名】００５６
【補正方法】変更
【補正の内容】
【００５６】
この三階層の階層構造画像データの画像を、図１１に示すカタログ画像Ｃ２を表示するものとすると、初期表示用画像データＡ０に基づき表示されているカタログ画像Ｃ２を被拡大画像とし、端末装置４に設けられたマウス等のポインティングデバイス４８の操作により、該被拡大画像上で拡大領域Ｚを設定確定することで、当該拡大領域Ｚの拡大画像を表示できる。例えば、図１１の拡大領域Ｚ３が設定確定された場合、当該拡大画像は、初期表示用画像データＡ０よりも一段階上の解像度を有する第一拡大画像データＡ１の画像セグメントＡ２１を用いて表示される（拡大画像（３））。この拡大画像をさらに拡大する場合には、この拡大画像を被拡大画像とし、端末装置４のポインティングデバイス４８の操作により、該被拡大画像上で更なる拡大領域Ｚを設定確定することで、当該拡大領域Ｚの拡大画像を表示することができる（拡大画像（４））。このように、３以上の階層を有する階層構造画像データを用いることにより、第一解像度画像データに隣接する高解像度階層の画像データを第二解像度画像データとして使用して、拡大領域を下位の解像度階層側から順次適用することにより画像を段階的に拡大しながら表示することが可能となる。例えば、図１１の拡大領域Ｚ４が設定確定された場合、当該拡大画像は、第一拡大画像データＡ１（画像セグメントＡ２１）よりも一段階上の解像度を有する第二拡大画像データＡ２の画像セグメントＡ２１１１を用いて拡大画像が表示される。
【手続補正７】
【補正対象書類名】明細書
【補正対象項目名】００５７
【補正方法】変更
【補正の内容】
【００５７】
他方、第一解像度画像データに隣接する画像データをとばして、より高い解像度を有する画像データを第二解像度画像データとして使用してもよい。特に、拡大領域Ｚの範囲を調整できる場合（例えば任意に調整できる場合）は、その範囲が画像セグメントよりも小さい状態で、拡大領域Ｚが設定確定されたときに好適である。例えば、図１１において、初期表示用画像データＡ０に基づき表示されているカタログ画像Ｃ２の拡大画像を表示するために、該カタログ画像Ｃ２を被拡大画像とし、その被拡大画像Ｃ２上にて、画像セグメントＡ１１１１〜Ａ２２２２よりも小面積の拡大領域Ｚ５により拡大要求操作なされた場合に、拡大領域Ｚ５を設定確定することで、当該拡大領域Ｚ５の拡大画像を複数段階高い解像度を有する階層の画像データにて表示できる。ここでは、初期表示用画像データＡ０よりも二段階上の解像度を有する第二拡大画像データＡ２の画像セグメントＡ２１２１（Ａ２），Ａ２２２１（Ａ２）を用いて表示される。
【手続補正８】
【補正対象書類名】明細書
【補正対象項目名】００６０
【補正方法】変更
【補正の内容】
【００６０】
図１１の場合、ダウンロード優先順位の最も高い特徴部画像セグメントは、メイン商品の主要部が表示されている画像セグメントＡ２１（Ａ１）であると推定できる。また、次にダウンロード優先順位の高い準特徴部画像セグメントとしては、メイン商品の主となる特徴部が含まれる画像セグメントＡ２１１１（Ａ２）が定められる可能性が高い。このように、３以上の解像度階層を有する画像データが使用される場合には、第一解像度画像データとして使用される解像度階層（上記の場合、画像データＡ０の階層）よりも高解像度となる複数の階層（上記の場合、画像データＡ１及びＡ２の階層）から、各々特徴部画像セグメントとして対応付けられる画像セグメント群（上記の場合、画像セグメントＡ２１（Ａ１）及びＡ２１１１（Ａ２））を、該複数の階層にまたがって抽出し、これを残余の画像セグメントよりも優先的にダウンロードすることができる。